(57)【要約】      （修正有）【課題】幼児が率先して自力で手指消毒したくなる足踏み型消毒スタンドを提供する。【解決手段】ペンギンを模した頭部Ａは前方に嘴Ａａを突出形成させた略円板状とし、その下部を上端で挟むようなペンギンを模した胴体部Ｂの外装となる２枚の薄板は下広がり状に斜めに土台１の両横端より立ち上げ、土台１上に小回動可能なペダル３とその支点体４を設置してペダル３の足踏み部３ａが支点体４よりペンギン向きにおいて前位置に、押上げ部３ｂが後位置にくるようにし、押上げ部３ｂの後部上面とペンギン頭後部押上げ棒５の下端前面を蝶番６で微回動可能状に連結し、押上げ棒５の上端前面と該頭部Ａの内部後下面を微回動可能状に別の蝶番６で連結し、更に頭部Ａの内部後下面のより前方において別の蝶番６で容器ポンプ押下げ体７の上端前面を微回動可能状に吊下連結し、該容器ポンプ押下げ体７において該嘴Ａａよりホース８を介して吐出される消毒液９を受け止めるトレイ１０の置板１１を前方に突出形成する。【選択図】図２
0003231578.tif 000002
【実用新案登録請求の範囲】
【請求項１】
全体形状がペンギン立姿を呈する手指消毒用スタンド装置において、ペンギンを模した頭部は前方に嘴を突出形成させた略円板状であり、その下部を上端で挟むペンギンを模した胴体部の外装である２枚の薄板は下広がり状に斜めに土台の両横端より立ち上げられ、ペンギン立姿全体の支えは２枚の該薄板の裏面と土台の上面に内接させた略縦長三角形状の支柱板を該土台上に固定させることによってなされ、該土台上に小回動可能なペダルとその支点体が設置されそのペダルの足踏み部が該支点体よりペンギン向きにおいて前位置、押上げ部が後位置にあり、該押上げ部の後部上面と垂立するペンギン頭後部押上げ棒の下端後面が蝶番で微回動可能状に連結され、該押上げ棒の上端前面と該頭部の内部後下面が微回動可能状に別の蝶番で連結され、更に該頭部の内部後下面のより前方において別の蝶番で垂下する容器ポンプ押下げ体の上端前面が微回動可能状に吊下連結され、該容器ポンプ押下げ体において該容器ポンプを直接押下げる部分となる直接押下げ部が上下移動を妨げない隙間を形成するに足る貫通孔が設けられ、そこを貫通する該直接押下げ部はより後方に位置する該頭後部押上げ棒に設けられた上下に隙間を有する窪みに後端が載置されるとともにその下面と容器ポンプ押下げ体の前面は該貫通孔の直下において更に別の蝶番で微回動可能状に連結され、更に容器ポンプ押下げ体の下方には消毒液入り容器を載置させる容器載板が前方に突出形成され、また消毒液入り容器より押出された消毒液を該嘴内に誘導するホースで容器嘴間が連結されて成ることを特徴とするペンギン型消毒スタンド。
【考案の詳細な説明】
【考案の詳細な説明】
【技術分野】
【０００１】この考案は、ウイルス感染等の予防対策として用いられる手指を消毒又は洗浄するための、とりわけ幼児使用に適した消毒スタンドに関する。
【背景技術】
【０００２】最近、全世界的な脅威となっている新型コロナウイルスの感染をできるだけ予防するための手段の一つとして、手洗いや手指の除菌消毒が言われている。そこで水道水や洗剤を使って手洗いができる場所は当然に限られているから、外出先等ではスタンド設置型の消毒（除菌）装置が要望されており、それには既に様々なタイプのものがある。【０００３】例えば小型簡易なものとして、テーブル等に載置する箱型装置があり、そのかほうの開口部より手指を挿入すると、センサーが感知してアルコール等の消毒液を噴出する仕掛けになっていたり、或いは上方に手をかざすと下方より消毒液がスプレーされるものもある。【０００４】また足踏みによって両手を同時に除菌消毒できるスタンド型のものもあり、これは市販のポンプ式消毒液ボトルをセットして、足元のペダルを踏むことによりボトル頂上部のポンプを押して消毒液を噴出させるようにしたものである。
【考案の開示】
【考案が解決しようとする課題】
【０００５】上記のスタンド型のものについては、本考案者は既に在来のものの欠点の改善に種々努めてきたが、それは主に大人を対象としたものであり、幼児に対しては背が低く大人の補助を要したり嫌がったりしがちなため、実行が疎かになる傾向があった。本考案はかかる問題点を解決することを課題とする。
【課題を解決するための手段】
【０００６】先ず本考案の手指消毒用スタンドの外観を図１のように幼児が親しみを感じるようなペンギンの立姿を模した形状にする。そのペンギンを模した頭部Ａは前方に嘴Ａａを突出形成させた略円板状であり、その下部を上端で挟むようなペンギンを模した胴体部Ｂの外装となる２枚の薄板Ｂａは下広がり状に斜めに土台１の両横端より立ち上げるものとし、ペンギン立姿全体の支えは２枚の該薄板Ｂａの裏面と土台１の上面に内接させた略縦長三角形状の支柱板２を土台１に固定させることによってなされ、土台１上に小回動可能なペダル３とその支点体４を設置してペダル３の足踏み部３ａが支点体４よりペンギン向きにおいて前位置に、押上げ部３ｂが後位置にくるようにし、押上げ部３ｂの後部上面とペンギン頭後部押上げ棒５の下端前面を蝶番６で微回動可能状に連結し、該押上げ棒５の上端前面を該頭部Ａの内部後下面を微回動可能状に別の蝶番６で連結し、更に頭部Ａの内部後下面のより前方において別の蝶番６で容器ポンプ押下げ体７の上端前面を微回動可能状に吊下連結し、該容器ポンプ押下げ体７において該嘴Ａａよりホース８を介して吐出される消毒液９を受け止めるトレイ１０の置板１１を前方に突出形成するとともに、その下に容器ポンプ１２を直接押下げる部分となる直接押下げ部５ａが上下に隙間１３を形成するに足る貫通孔１４を設け、そこを貫通する該直接押下げ部５ａはより後方に位置する該頭後部押上げ棒５に設けられた上下に隙間１３を有する窪みに後端が載置されるとともにその下面と容器ポンプ押下げ体７の前面は該貫通孔１４の直下で更に別の蝶番６で微回動可能状に連結固定され、更に容器ポンプ押下げ体７の下方には消毒液入り容器１５を載置させる容器載板１６を前方に突出形成し、また消毒液入り容器１５より押出された消毒液９を該嘴Ａａ内に誘導するホース８で容器嘴間を繋いで、本考案のペンギン型消毒スタンドとする。【０００７】図１のような外見は、このような輪郭の素材にペンギン様の彩色がなされていることによるが、その頭部Ａは前方に嘴Ａａを突出形成させた略円板状であって、例えば硬質発泡ウレタンのような軽量材料を補強薄板でサンドしたような概略形態をとり、その内下部から嘴Ａａまで後述の消毒液９を通すホース８が貫通されている。【０００８】また胴体部Ｂは、彩色された外装となる２枚のベニヤ板のような薄板Ｂａを上端で頭部Ａの下端を挟みつつ下広がり状に斜めに土台１の両横端より立ち上げた形をとるが、これは全体を支える支柱の役割を主に果たすものではない。【０００９】その支柱の役割を果たすものは、図３、図４に示すように、２枚の該薄板Ｂａの裏面と土台１の上面に内接させた略縦長三角形状の支柱板２を土台１に固定させることによってなされる。この支柱板２は、手前の薄板Ｂａを外して内部構造を見せる側面図の図２においては図が繁雑になるため省略しているが、これはその断面が容器ポンプ押下げ体７と載置された消毒液入り容器１５との間に垂直縦長状に存在することになる。【００１０】小回動可能なペダル３の支点体４は、基本的にてこの役割をはたすのみのものであるから、常識的に回転軸を有するものでなくても図示したような三角形を断面とする三角柱体を不動に載置しただけのもので良い。【００１１】また本考案で用いられる蝶番６は、いずれも不動に固定させるためのものではなく、若干の上下移動を許すように連結するものであり、これが容器ポンプ１２を押す力を与えるとともに、一対の蝶番６が回転軸を設けることなく回転力を与えることになる。【００１２】すなわち、頭後部押上げ棒５をペダル３の足踏み部３ａの踏みにより押上げると、下端の蝶番６はそのときに生じる若干の角度変化を許すとともに、その上端の蝶番６と更にその前方にある容器ポンプ押下げ体７上端の蝶番６とは共に該頭部Ａの後部にあってその重心より後方にあるから常に下方に荷重がかかっているところ、後方の蝶番部が上がれば前方の蝶番部は自重で下がって、両方の蝶番６は若干角度を変えるのみとなり、その箇所が回転軸となってペンギンの頭部Ａはうつむき方向に少し回転し、そのとき下がった容器ポンプ押下げ体７及び直接押下げ部５ａは容器ポンプ１２を押下げて、容器内の消毒液９をホース８を介して嘴Ａａより吐出することになる。また踏みを止めれば自重で元に戻り、吐出が止まる。
【考案の効果】
【００１３】本考案によれば、重心が低く下広がりであるから消毒液入り容器を大型化できると同時に、身長が低く使用を嫌がる幼児が興味と親しみをもって自力で使用したくなることで、使用率が著しく向上し液詰め替えも容易という効果がある。
【考案を実施するための形態】
【００１４】既に本考案の構成や形態を実施に添ったかたちでかなり具体的に述べてきたが、より具体的な実施設計例を付け加えれば、図１に示されているペンギンの羽根１７を約３ｍｍ厚のベニヤ板からなる薄板Ｂａの両横に小回動可能状に取り付けることにより、頭後部押上げ棒５の上下運動に伴ってその羽根１７も小回運するように設計したり、ペダル３の足踏み部３ａをペンギンの足を模したものに彩色することによって、一層面白みの増したものにすることができる。
【００１５】なお前述のホース８は、外径６ｍｍ程度のポリエチレンのような柔らかい耐腐食性樹脂からなるものを、通常のやや大型の洗剤スプレー容器を転用してそのノズル部から頭部Ａの下方より嘴Ａａの内側先端部まで繋ぎ、そこから消毒液９が下方に吐出されるようにする。なお該容器１５のノズルが無い場合でも、その上部に設けられた貫通孔からストローのように該ホース８を消毒液９内に差し込むようにしてもよい。またその消毒液８は予め定量を密封収容したポリ袋を入れて使用時に開封することにより、液の充填や詰め替えの便宜をはかるものとする。
【産業上の利用可能性】
【００１６】本考案のペンギン型足踏みスタンドは、大勢の幼児が出入りする幼稚園その他において甚大なニーズがあり、製造面やコストも優位にできるので、産業上の利用可能性は十分にある。
【図面の簡単な説明】
【００１７】
【図１】本考案の外観側面図
【図２】本考案の内部を示す側面図
【図３】本考案の正面図
【図４】本考案の背面図
【符号の説明】
【００１８】Ａ……頭部        Ａａ……嘴        Ｂ……胴体部        Ｂａ……薄板
１……土台      ２……支柱板      ３……ペダル      ３ａ……足踏み部
３ｂ……押上げ部          ４……支点体          ５……頭後部押上げ棒
５ａ……直接押上げ部        ６……蝶番      ７……容器ポンプ押下げ体
８……ホース      ９……消毒液      １０……トレイ      １１……置板
１２……容器ポンプ        １３……隙間        １４……貫通孔
１５……消毒液入り容器        １６……容器載板        １７……羽根
【図１】
0003231578.tif 000003
【図２】
0003231578.tif 000004
【図３】
0003231578.tif 000005
【図４】
0003231578.tif 000006